Podtech/llm-jp-corpus-v4-ja_patent huggingface dataset:
(57)【要約】      （修正有）【解決手段】皿の底面の部分に、中心から外側に向けて空気孔を複数個開け、その間を細い溝で連結し、蒸気の通路を作り、蓋と、受け皿を組み合わせた調理用器セット。【効果】したがって、次のような効果を生じる。イ）皿と、蓋と受け皿がセットになっているので、狭い台所の場所を取らず三つの調理容器なので、洗い物の洗剤や、水道水など節約できる。ロ）本発明は、蒸し器として利用できるので、調理の時間も短縮でき、栄養素も破壊されにくい。ハ）蒸すことにより、肉類の余分な脂肪分は、空気孔から流れ落ち健康に良い。ニ）本発明は、調理後セットをそのまま食卓に出すことが出来るので、料理を暖かく保ち風味も損なわれない。【選択図】図１
2007068943.tif 000002
【特許請求の範囲】
【請求項１】
皿の底部に複数の空気孔を開け、空気孔と空気孔との間を溝で連結することにより蒸気の流通を促し、さらに、蓋と、受け皿を加えた、調理容器セット。
【発明の詳細な説明】
【技術分野】
【０００１】  本発明は、空気孔を開けた陶器製の皿と、蓋と、受け皿から成る調理容器セットに関するものである。
【背景技術】
【０００２】  従来、皿は食物を盛り付けて食卓に出される目的で作られていた。料理は調理する器具と、盛り付ける器が別のものであった。
【発明の開示】
【発明が解決しようとする課題】
【０００３】  そのために、次のような問題点があった。
イ）皿は食物を盛り付けるものであり、料理を作る場合、複数の器具を用意しなければならならず、狭い台所の場所をとっていた。
ロ）また、食事後、複数の器具の洗い物が多く、洗剤、水道水など資源を無駄に使い経費もかかっていた。
ハ）従来の食材は、水を加えて煮炊きするため、時間もかかり、栄養素を破したり、水に流れたりした。
ニ）料理を鍋から、皿に移し変えて食卓に出すので、料理が冷えて味をおとしていた。
本発明は以上の問題点を解決するためのものである。
【課題を解決するための手段】
【０００４】  皿の底部に複数の空気孔を開け、空気孔と空気孔との間を溝で連結することにより蒸気の流通を促し、さらに、蓋と、受け皿を加えた、調理容器セットである。
【発明の効果】
【０００５】  したがって、本発明は次のような効果を生じる。
イ）皿と、蓋と受け皿がセットになっているので、狭い台所の場所を取らず三つの調理容器なので、洗い物の洗剤や、水道水など節約できる。
ロ）本発明は、蒸し器として利用できるので、調理の時間も短縮でき、栄養素も破壊されにくい。
ハ）蒸すことにより、肉類の余分な脂肪分は、空気孔から流れ落ち健康に良い。
ニ）本発明は、調理後セットをそのまま食卓に出すことが出来るので、料理を暖かく保ち風味も損なわれない。
【発明を実施するための最良の形態】
【０００６】  以下、本発明の実施の形態を説明する．
イ）陶器製の蓋（１）と、皿（２）と、受け皿（３）を一組とする調理用器セットである。（図１）
ロ）蓋（１）は、側部に空気孔（４）を設け、皿（２）に盛る食材（５）の容量を多くするために、ドーム型状をしている。
ハ）受け皿（３）は、平たい円形の浅い筒状で、皿（２）から落ちてくる水分（９）を受ける役目を果たす。（図１）
ニ）皿（２）は、底部の中心（６）から外に向けて、放射状に約５ミリ程度の空気孔（７）を複数設けてある。（図３）空気孔（７）と、空気孔（７）の間を細い溝（８）で連結し、蒸気の通路の溝（８）を作る。（図４）蒸気の溝（８）があるために、蒸気が平均に食材に回り、早く平均に蒸しあがる。また、溝（８）があるために、肉類の余分な脂肪分が溝（８）を伝わって、空気孔（７）から、鍋（１０）に落ちやすい（図２）。
本発明は、以上のような構成で、これを使用する時は、水を（１１）入れた鍋（１０）をガス台（１２）にのせ点火し、湯（１１）を沸かす。食材（５）を盛った皿（２）を鍋（１０）の上にのせ蓋（１）をしてしばらく蒸す（図２）。出来上がったら、火を止め、蒸しあがった皿（２）を鍋（１０）から受け皿（３）の上に移して、そのまま食卓に出す。つまり、皿と、蓋と、受け皿が、一体となっているので、蒸し器としても利用でき、そのまま食卓に出すので、料理を温かいまま、風味を損なわずに食することが出来る。さらに、洗い物も簡単で、洗剤や水の節約も出来、重ねて収納できるので、台所の場所も取らない。
ここでは、皿の原料を陶製としたが、セラミック、耐熱ガラス、メタル、鉄など、熱に強い不燃性のものであれば何を使っても良く、また空気孔も円のみなら
2007068943.tif 000003
【図面の簡単な説明】
【０００７】
【図１】  本説明の分離説明図
【図２】  本説明の使用状態を示す分離説明図
【図３】  本説明の皿の平面図
【図４】  本説明の３図の部分拡大図
【符号の説明】
【０００８】  １  ドーム状蓋
２  皿
３  受け皿
４  空気穴
５  食材
６  中心
７  空気孔
８  溝
９  水分
１０  鍋
１１  水
１２  ガス台
【図１】
2007068943.tif 000004
【図２】
2007068943.tif 000005
【図３】
2007068943.tif 000006
【図４】
2007068943.tif 000007
(57)【要約】【課題】  本発明は、洗面台、浴室等にて使用されている石けん置を提供する。【解決手段】  本体は、樹脂体スポンジ、又はゴム体スポンジ等の弾性体を素材として、外周縁辺は任意形状に形成し、表面部には、断面が三角形状にて成る突隆部を連設すると共に、裏面部は平面状に形成したことを特徴とする石けん置である。【選択図】  図１
2007068941.tif 000002
【特許請求の範囲】
【請求項１】
任意形状の外周縁辺を有する弾性体にてなる本体の表面部に、突隆部又は横長の突隆部を連設し、裏面部は平面状に形成したことを特徴とする石けん置。
【請求項２】
本体の裏面部に取付手段を設けたことを特徴とする請求項１記載の石けん置。
【請求項３】
本体の表面部に凹部を形成し、該凹部の底面部に突隆部、又は横長の突隆部を、連設したことを特徴とする請求項１記載の石けん置。
【請求項４】
本体の凹部の両側壁上端に欠切部を設けたことを特徴とする請求項３記載の石けん置。
【請求項５】
本体の裏面部に不織布を設けたことを特徴とする請求項１、請求項３、請求項４記載の石けん置。
【発明の詳細な説明】
【技術分野】
【０００１】  本発明は、洗面台、浴室等で使用する石けん置に関するものである。
【背景技術】
【０００２】  従来、石けん置は、プラスチック、又はセラミックなどを素材とする硬質の材料で形成されていた。
【発明の開示】
【発明が解決しようとする課題】
【０００３】  そのために、次のような問題点があった。
石けん置は、硬質の材料で形成していることから、表面に水分を含んだ「石けん」は、石けん置の底面部との接触面部に於いて、水分の吸収が悪いため、石けんの裏面部が半液状化して、底面部に食い込み、石けん置内、外周部にべた付き固着していた。
その固着した石けんの除去、及び周辺の清掃作業をするとき、労が多く大変だった。
本発明は、以上の問題点を解決するためになされたものである。
【課題を解決するための手段】
【０００４】  本体は、樹脂体スポンジ、又はゴム体スポンジ等の弾性体を素材として、外周縁辺は任意形状に形成し、表面部には、断面が三角形状にて成る突隆部を連設すると共に、裏面部は平面状に形成する。
以上の構成よりなる石けん置である。
【発明の効果】
【０００５】  本発明は、弾性体にて形成した本体表面部の三角形状の突隆部先端にて、石けんを点接触状に柔らかく支承し、石けん表面に含まれている水分を速やかに吸収できる。
そのために石けん裏面との接触部に於いて石けんが半液状化して石けん置内、外周辺、洗面台並びに浴室等に固着することはなく常に極めて清潔に保つことができる。
【発明を実施するための最良の形態】
【０００６】  以下、本発明の実施の形態を説明する。
（イ）請求項１に係る石けん置は、樹脂体スポンジ、又はゴム体スポンジを素材とする弾性体にてなる本体（１）を形成し、該本体（１）の外周縁辺の形状は多角形、丸形、又はひょうたん形等多種の形状が考えられるが、本項に於いては日常使用されている石けんの形状から方形、又は丸形の石けん置に利用できる。
本体（１）の外周縁辺を方形、又は丸形に形成し、表面部には、断面が三角形状にて成る突隆部（２）又は横長の突隆部（３）を連設し、裏面部は平面状に形成する。
（ロ）請求項２に係る石けん置は、本体（１）の裏面部は平面状に薄く形成し、該裏面部に凸部（４ａ）、（４ｂ）、又は可撓性ファスナー（５ａ）、（５ｂ）等の着脱自在とする取付手段を施す。
これは、従来の硬質素材にて形成された石けん置に使用するもので、該石けん置底面部に欠切されている欠切部に凸部（４ａ）、（４ｂ）が、又は可撓性ファスナー（５ａ）、（５ｂ）の一方の片を該石けん置底面部に貼着して使用する。
（ハ）請求項３に係る石けん置は、本体（１）の表面部は凹部（６）と共に、外周壁（７）を形成する。
該外周壁（７）は、石けんの着落を防止するためのものである。
さらに該凹部（６）の底面部に、断面が三角形状にて成る突隆部（２）又は横長の突隆部（３）を連設する。
（ニ）請求項４に係る石けん置は、外周壁（７）の両側上端に欠切部（８ａ）、（８ｂ）を形成する。
該欠切部（８ａ）、（８ｂ）は、石けんを指先にて容易に抓み取ることができるように形成したものである。
（ホ）請求項５に係る石けん置は、請求項１、請求項３、請求項４記載の本体（１）の裏面部に、不織布（９）を平面状に取付ける。
該不織布（９）は、弾性体にて成る本体（１）を支える基部とし、洗面台、及び浴室周辺部の汚れ落し、さらには手洗い等に有効に活用できるとともに、その過程に於いて石けん置そのものも清潔にできる。
本発明は以上のような構成になっている。
本発明を使用するときは、水分を含んだ使用後の石けんは、弾性体にて成る突隆部（２）又は横長の突隆部（３）の先端にて点接触状に柔らかく支承され、さらに水分は速やかに吸収されるので、石けんの裏面が半液状化することはなく、又該突隆先端が石けんの裏面部に食い込むことはない。
さらには、洗面台、浴室、石けん置等の内、外周辺部に固着することはないので常に周辺部は極めて清潔な状態に保つことができる。
【図面の簡単な説明】
【０００７】
【図１】  本発明の請求項１に係る突隆部を有する方形の本体斜視図である。
【図２】  本発明の請求項１に係る横長の突隆部を有する方形の本体斜視図である。
【図３】  本発明の請求項３、及び請求項５に係る横長の突隆部及び裏面部に不織布を有する本体斜視図である。
【図４】  本発明の請求項４、及び請求項５に係る方形の本体斜視図である。
【図５】  本発明の請求項４、及び請求項５に係る実施例を示した方形の本体斜視図である。
【図６】  本発明の請求項１に係る実施例を示した横長の突隆部を有する方形の本体側面図である。
【図７】  本発明の請求項２に係る実施例を示した方形の本体斜視図である。
【図８】  本発明の請求項２に係る実施例を示した方形の本体裏面図である。
【図９】  本発明の請求項２に係る実施例を示した丸形の本体斜視図である。
【図１０】  本発明の請求項２に係る実施例を示した丸形の本体裏面図である。
【符号の説明】
【０００８】    １  本体
２  突隆部
３  横長の突隆部
４ａ、４ｂ  凸部
５ａ、５ｂ  可撓性ファスナー
６  凹部
７  外周部
８ａ、８ｂ  欠切部
９  不織布
１０  従来の方形の石けん置
１１  欠切部
１２  従来の丸形の石けん置
【図１】
2007068941.tif 000003
【図２】
2007068941.tif 000004
【図３】
2007068941.tif 000005
【図４】
2007068941.tif 000006
【図５】
2007068941.tif 000007
【図６】
2007068941.tif 000008
【図７】
2007068941.tif 000009
【図８】
2007068941.tif 000010
【図９】
2007068941.tif 000011
【図１０】
2007068941.tif 000012
(57)【要約】      （修正有）【課題】人間の本来のメカニズムである睡眠時における鼻呼吸を無理なく実現することにより口呼吸では為し得ない、酸素を体内の隅々にバランス良く取り込むこと。【解決手段】マジックテープを使用することで、個々に合った最良の位置を選んで本発明品２を固定セットすることが出来るだけでなく、本発明品は伸縮性のある布で下アゴをサポートするため、従来為し得なかった装着時の不快感や圧迫感を無くし、かつ簡単また安全に使用することが可能となる。【選択図】図１
2007068949.tif 000002
【特許請求の範囲】
【請求項１】
本発明は、睡眠時において本製品付属ベルトにより下あごをつり上げる事で強制的に口を閉ざし無酸素呼吸を防止すると同時に鼻からの有酸素呼吸を可能とする。
【請求項２】
本発明は睡眠時における鼻呼吸を実現し睡眠時にも無意識的に血液又は体内に酸素を循環させる事を目的とする。
【発明の詳細な説明】
【技術分野】本発明は、睡眠時に健康のための酸素を鼻から取り入れる。
【背景技術】睡眠時、本発明品を取り付ける事により、口腔内の乾燥を防ぎ（鼻からの酸素を吸収する為）本来の鼻から酸素を吸収する健康上のメカニズムを解決する。
【発明の開示】
Ｉ、睡眠中、口を開いて息を吸う〈酸素を吸う〉人が大多数であり、口腔内での乾燥状態が発生する。
ＩＩ、本発明は、この様な状態を解決すると同時に本来の酸素は鼻から吸引する事で、体内の隅々迄酸素を配分する目的である。
【発明の効果】
上述した様に本発明は無理なく酸素を鼻から吸引し、人間の健康を維持する。
【発明の実施するための最良の形態】
下アゴにまず伸縮性のある布をあて、耳の所の切れ目に耳を出し頭部の所にマッジクテープで個々の最良の位置で固定する。
【符号の説明】
【図１】
は、本発明品を頭部より下アゴにかけて固定セットした図。
▲１▼は、顔面部。
▲２▼は、本発明品
【図２】
▲３▼と▲７▼は、本発明品をマジックテープにより、固定する。
▲４▼と▲６▼は、耳を入れる切れ目。
▲５▼は、アゴに当たる中心部。
【図１】
2007068949.tif 000003
【図２】
2007068949.tif 000004
【手続補正書】
【提出日】平成17年11月18日(2005.11.18)
【手続補正１】
【補正対象書類名】明細書
【補正対象項目名】全文
【補正方法】変更
【補正の内容】
【発明の詳細な説明】
【技術分野】本発明品は、睡眠時に健康のための酸素を鼻から取り入れる。
【背景技術】睡眠時、本発明品を取り付ける事により、口腔内の乾燥を防ぎ（鼻から酸素を吸収する為）本来の鼻から酸素を吸収する健康上のメカニズムを解決する。
【発明の開示】
Ｉ．睡眠中、口を開いて呼吸する〈酸素を吸う〉人が大多数であり、口腔内での乾燥状態が発生する。
ＩＩ．本発明は、この様な状態を解決すると同時に本来の酸素を鼻から吸引する事で、体内の隅々迄酸素を配分する目的である。
【発明の効果】
上述した様に、本発明品は無理なく酸素を鼻から吸収し、人間の健康を維持する。
【発明を実施するための最良の形態】まず下アゴに伸縮性のある布をあて、耳の切れ目から耳を出し頭部の所にマジックテープで個々の最良の位置で固定する。
【図面の簡単な説明】
【図１】は、本発明品を頭部より下アゴにかけて固定セットした図。
【図２】は、本発明品を平面的に見た全体図。
【符号の説明】
１は、顔面部。
２は、本発明品。
３と７は、本発明品をマジックテープにより、固定する。
４と６は、耳を入れる切れ目。
５は、アゴに当たる中心部。
(57)【要約】【課題】      清掃用スポンジは保管場所を要する。一般家庭の狭い水回り、特にトイレの手洗いボウル等などは、埃や汚れなどか付きやすいわりに清掃用スポンジの保管の為のスペースを確保しにくい。その為、手軽に、又こまめには清掃しにくく、清掃終了後のスポンジの後始末にも手間がかかる。【解決手段】  スポンジに対向する２つの面を接続する貫通孔と、前記貫通孔の長軸方向を含み、前記貫通孔と外部とを結ぶ切り込みとを備えることで、手洗い管などに簡単に密着させることも取り外すこともでき、清掃の準備や後始末の手間を省き、清掃を手軽に行いやすくする。【選択図】    図１
2007068930.tif 000002
【特許請求の範囲】
【請求項１】
対向する２つの面を接続する貫通孔と、前記貫通孔の長軸方向を含み、前記貫通孔と外部とを結ぶ切り込みを備えるスポンジ
【発明の詳細な説明】
【技術分野】
【０００１】本発明は、一般家庭の蛇口（手洗い管）等に留置できる清掃用スポンジに関する。
【背景技術】
【０００２】一般的な清掃用スポンジは、水が滴っても問題のない保管場所、若しくは保管容器を必要とする。
【発明の開示】
【発明が解決しようしする課題】
【０００３】一般家庭のトイレタンク上部の手洗いボウルなど、狭い水回りでは清掃用スポンジの保管の為のスペースはとれない。その為、こまめに清掃しにくく清掃後のスポンジの後始末に手間もかかる。
【０００４】本発明は、この様な清掃上の問題を解決しようとするものであり、保管場所を新たにつくる事なく、清掃を手軽に行いやすくする事を目的とするものである。
【課題を解決する為の手段】
【０００５】そして、本発明は上記目的を達成する為にスポンジそのものに貫通孔と切り込みを備えさせたものである。
【０００６】上記の解決手段による作用は次の通りである。すなわちスポンジの切込みを手洗い管に押し付けるだけで、貫通孔と手洗い管を密着させることができる。これによりスポンジでの清掃が、いつでもできる状態になる。又、清掃終了後のスポンジから滴る水は、手洗いボウルに直接落せるので、後始末の手間も省ける。
【発明の効果】
【０００７】上記のように本発明の清掃用スポンジは、狭い水回りでも手洗い管に備えておけるので、清掃をいつでも手軽に行えるようにでき、水の滴るスポンジを持って移動するなどの後始末の手間を省ける清掃用スポンジを提供できる。
【発明の実施する為の最良の形態】
【０００８】以下、本発明の実施の形態を図１から図２に基づいて説明する。
【０００９】図に於いては、１はスポンジ本体の表面。２は裏面。本体と手洗い管に留置できる直径の貫通孔を３とする。３と外部とを結ぶ切り込みを４とする。
【図面の簡単な説明】
【００１０】
【図１】本発明の実施形態を示す清掃用スポンジの斜め横から見た外観図。
【図２】同上部から見た外観図。
【符号の説明】
３          スポンジ本体と手洗い管を密着させる為の貫通孔
４          切り込み。
【図１】
2007068930.tif 000003
【図２】
2007068930.tif 000004
(57)【要約】      （修正有）【課題】健康増進具は、運動のため丈の器具では、使用が単調で、永続する事が困難である。ゲーム感覚で行う事で、永続性が出て、楽しく行う事で健康が得られる器具を提供する。【解決手段】踏台Ａと間隔を空けて配置されて一定間隔で無秩序に交互に点滅するｎ個の踏み台Ｂ群からなる。始めに、踏み台Ａに立ち設定時間内に点滅している踏み台Ｂのどれかの点滅している間に踏めば得点され、その都度、合計点が、ディスプレイに表示される。【選択図】図１
2007068927.tif 000002
【特許請求の範囲】
【請求項１】
配置されたｎ個の無秩序に点滅する踏台から成り、点灯している何れかの踏台を点灯している間に踏む回数を得点として表示する構造。
【請求項２】
請求１の構造の点滅する踏台Ｂ郡と、踏台Ａから成り、踏台Ａと点滅する踏台Ｂの点灯している間の踏台を設定時間内に、交合に踏む事でその回数が得点されると同時に、踏台Ａと踏台Ｂ郡の間を往復し運動が得られる構造。（図１）．（図２）
【請求項３】
請求１の構造の点滅する踏台Ｃ郡の点灯している踏台を設定時間内に、踏む事でその回数が得点されると共に、踏台Ｃ郡間を行きつたり来たりする事で運動が得られる構造。
【発明の詳細な説明】
【技術分野】
【０００１】本発明は、ゲーム感覚で行う事で、運動不足の解消、健康増進を計るのを目的とする。
【背景の技術】
【０００２】従来、健康増進器は、色々あるが、皆が、その目的のみの機器のため、単調で、長く続ける事は、困難であつた。
使い始めても、三つ日坊主で終わる例が、殆どである。
【０００３】それを解決する方法は、面白みがあつて、楽しく行う事にある。
本発明は、得点を競う方式の健康増進器なので、健康増進と言う意識を特に持たず、ゲーム感覚で行つて居るだけで、自然に健康増進を計れる構造である。
【発明が解決しようとする課題】
【０００４】無秩序に一定間隔で点滅するｎ個の踏台が有つて、踏台を、設定時間内に点灯している間に踏む回数が、得点される構造である。
【発明が解決するための手段】
【０００５】図１で示す方式では、踏台Ａと、間隔を空けて配置されて一定間隔で無秩序に交合に点滅するするｎ個の踏台Ｂ郡から成る。
始めに、踏台Ａに立ち、設定時間内に、点滅している踏台Ｂのどれかの点灯している間に踏めば得点され、その都度、合計点が、デスプレーに表示される。
又、点滅する時間は、随時に、調整出来る構造である。
図２のブロツク図で示すと、始めに、スイツチ１でＯＮにしてタイマーを働かせて踏台Ａを踏むと、踏台Ａのスイツチ４が、ＯＮになり、踏台Ｂの各々が、交合に一定間隔で無秩序に点滅する。踏台Ｂを、点灯している間に踏めば踏台Ｂのスイツチ２が働きチャイムが鳴り、得点され、カウンターで加算されてその合計点がデスプレイＤ．Ｐに表示される。
踏台Ｂが消灯している時に、踏台Ｂを踏めば、ブザーが鳴りカウンター及びデスプレーＤ．Ｐは作動しない。
図３の方式を説明すると、無秩序に交合に点滅するｎ個の踏台Ｃ郡から成る。
ブロツク図の図４で説明すると始めに、スイツチ１でＯＮにして、タイマーが働き、点灯している間の踏台Ｃを踏めば、踏んだ回数が得点され、カウンターで加算されて、その合計点がデスプレーＤ．Ｐに表示される。
消灯している間の踏台Ｃを踏むと、ブザーが鳴り、カウンター及びデスプレーは作動しない。
【発明の効果】
【０００６】従来の様な健康増進の為と言う意識のみでは、永続するのは困難であるが、ゲーム様式にする事で、楽しく出来るので、永続できる。
【図面の簡単な説明】
【０００７】
【図１】配置図
【図２】ブロツク図
【図３】配置図
【図４】ブロツク図
【符号の説明】
【０００８】１−踏台Ａ
２−踏台Ｂ
３−踏台Ｃ
【図１】
2007068927.tif 000003
【図２】
2007068927.tif 000004
【図３】
2007068927.tif 000005
【図４】
2007068927.tif 000006
(57)【要約】      （修正有）【課題】接着剤から発生するガスの流出をなくす構造を備えた肩たたきを提供する。【解決手段】たたく部分６を取付けたスプリング５の巻のつまった部分１３の中に仕切板１２を取付けて巻のつまった部分１３の中に接着剤９を接着剤押出機で注入して、孫の手のさし込み部分４をスプリング５のつまった巻の部分１３の中に差し込んで乾燥させて固定する。接着剤９の流出がないので余分な接着剤９の無駄がなく、接着剤９から発生するガスも少ないので不良品もできにくい。又スプリング５の中に塗り込んでいたのを押出機を使用することにより生産の増大が可能になる。【選択図】図１
2007068929.tif 000002
【特許請求の範囲】
【請求項１】
肩たたき部分６に附いている、スプリング５のつまった巻の部分１３の中に仕切板１２を取付け、その後にスプリング５の巻のつまった部分１３の中に接着剤９を接着剤押出機にて接着剤９をスプリング５の巻のつまった部分１３の中に注入してさし込み部分４をスプリング３の中にさし込んで乾燥固定させて肩たたきに使用することができる肩たたき。
【請求項２】
継手１の穴２にたたく部分６を取付けたスプリング５を取付けて又継手１の穴３に孫の手のさし込み部分４を取付けて固定して、肩たたきに使用することができる肩たたき。
【請求項３】
肩をたたく部分６についているスプリング５に孫の手のさし込み部分４をさし込んで、そのスプリング５と孫の手のさし込み部分４のすき間１０に抗１１を打ち込んで固定して肩たたきとして使用できる肩たたき。
【発明の詳細な説明】
【技術分野】
【０００１】  本発明は肩を手軽にたたくことができる肩たたきに関する。
【背景技術】
【０００２】  従来の竹のスプリング付肩たたきはスプリング５のつまった巻の部分１３の中に接着剤９を塗り孫の手のさし込み部分４にも接着剤９を塗り、スプリング５のつまった巻の部分１３の中にさし込んで乾燥固定していた。そうすると接着剤９の多くが前方に押し出されて、スプリング５のつまった巻の部分１３には接着剤９が少ししか残らないので余分な接着剤９を使用しなければ接着力がよわかった。又従来品は作るのに大変な手間をかけていたので安く作ることができなかった。【０００３】  従来のスプリング付肩たたきには継手が附いていなかった。【０００４】  従来のスプリング付肩たたきには抗１１が附いていなかった。
【発明の開示】
【発明が解決しようとする課題】
【０００５】  従来のスプリング附肩たたきのスプリング５には、つまった巻の部分１３の中に仕切板１２がなかったので、スプリング５のつまった巻の部分１３の中に接着剤９を塗り込んで、孫の手の差し込み部分４にも接着剤９を塗って、孫の手の差し込み部分４のはいる穴３に差し込むと接着剤９の大部分が、スプリングの巻のつまった部分１３の中から外に出てしまって、接着力が弱かった。その為に余分な接着剤９を使用せねばならなかった。又、接着剤９から発するガスによりスプリングのメッキがさびる可能性が高かった。又接着剤９を塗り込むので、生産性が低かった。本発明はこのような、従来の構成が有していた問題を解決しようとするものであり接着剤９の無駄、生産性の向上、スプリング５のさび防止を実現することが目的とするものであります。
【課題を解決するための手段】
【０００６】  本発明はスプリング５のつまった巻の部分１３の中に仕切板１２を取付け、その後にスプリング５の巻のつまった部分１３の中に接着剤９を接着剤押出機にて接着剤９をスプリング５の巻のつまった部分１３の中に注入して、孫の手の差し込み部分４をスプリング５のつまった巻の部分１３の中に差し込んで乾燥固定させて作ることが本発明の課題解決するための手段です。すなわちスプリング５の仕切板１２によってスプリングの巻のつまった部分１３の中から外に接着剤９が流出しないので接着剤９の節約、スプリング５のメッキのさび防止、接着剤の押出機使用により生産向上が得られるのであります。【０００７】  本発明は継手１にたたく部分６を取り付けたスプリング５を継手１のスプリングが入る穴２に取付けて又その継手１の孫の手のさし込み部分４が入る穴３に孫の手のさし込み部分４を差し込んで固定したことが解決するための手段です。【０００８】  本発明は肩たたく部分６についているスプリング５に孫の手のさし込み部分４をさし込んで、そのスプリング５と孫の手のさし込み部分４とのすき間１０に抗１１を打ち込んで固定したことが解決するための手段です。
【発明の効果】
【０００９】  接着剤押出機の使用により大量生産が可能になり人件費及び材料代の節約により生産原価が安くなるのであります。【００１０】  接着剤の節約、大量に製品を作りますと多くの接着剤を必要とします従来品よりも５０〜６０％以上の節約になります。【００１１】  接着剤の流出がなくなると製品が美しい。【００１２】  接着剤が少なくすむので接着剤から発生するガスが少ないのでスプリングのメッキがさびない。仕上がった製品をダンボール等に保管してもメッキがさびない。数ヶ月で従来品は４０〜５０％さびていた。
【発明を実施するための最良の形態】
【００１３】  本発明の実施の形態を図１−図３に基づいて説明する。【００１４】  図１はスプリング５のつまった巻の部分１３の中に仕切板１２を取付けて、その後にスプリング５の巻のつまった部分１３の中に接着剤９を注入して孫の手の差し込み部分４をスプリング３の中にさし込んで乾燥させ固定した状態が最良の形態です。【００１５】  図２は継手１の穴２にたたく部分６を取り付けたスプリング５を取付けて、又継手１の穴３に孫の手のさし込み部４を取付けて肩たたきに使用することができる肩たたきが最良の形態です。【００１６】  図３は肩をたたく部分６に付いているスプリング５に孫の手のさし込み部分４をさし込んで、そのスプリング５と孫の手のすき間１０に抗１１を打ち込んで固定した状態が最良の形態であります。
【産業上の利用可能性】
【００１７】  本発明は竹のスプリング付肩たたきを作る上において接着剤９の無駄を省き且つ接着剤９から発生するガスによってスプリングのメッキのさびるのを防止すると共に生産増大を推進する発明であります。
【図面の簡単な説明】
【００１８】
【図１】  本発明の実施形態を示す請求項１の断面図
【図２】  本発明の実施形態を示す請求項２の断面図
【図３】  本発明の実施形態を示す請求項３の断面図
【符号の説明】
【００１９】  １      継手
２      スプリングが入る穴
３      孫の手の差し込み部分の入る穴
４      孫の手の差し込み部分
５      スプリング
６      たたく部分
７      孫の手
８      継手のかべ
９      接着剤
１０    すき間
１１    抗
１２    スプリングの仕切板
１３    スプリングの巻のつまった部分
【図１】
2007068929.tif 000003
【図２】
2007068929.tif 000004
【図３】
2007068929.tif 000005
(57)【要約】      （修正有）【課題】蚊・蠅・クモ・ゴキブリ等を吸込み易く、また吸込み後の処理がし易いことを主目的に、従来アタッチメントでは充分ではなかった天井や部屋のコーナーや壁面近くの埃取りにも使用可能なアタッチメントを提供する。【解決手段】交換用アタッチメントは蚊・蠅・クモ・ゴキブリ等を吸込み易いよう漏斗状の吸込み口を持つ。漏斗端面の吸込み口の形状は円形または天井や部屋のコーナーや壁面に接し易いよう略矩形形状とする。漏斗端面垂線と差込み口の成す角度は垂直（０°）を除く９０°までの使い易い角度とする。さらに漏斗端面は天井や床面に負圧で吸着しすぎて操作しにくいことがないよう浅い凹凸または短い植毛を有するものにする。蚊・蠅・クモ・ゴキブリ等を吸込み終わったら、蚊の場合は不要であるが、原則として再度電気掃除機を作動させて、吸込み口から家庭用噴霧殺虫剤を数秒間吸込ませ、電気掃除機内にて殺虫処理を行う。【選択図】図４
2007068932.tif 000002
【特許請求の範囲】
【請求項１】
電気掃除機の吸込み口アタッチメントを外し、交換用アタッチメントとして使用するもので、屋内に侵入した蚊・蠅・クモ・ゴキブリ等を目視して電気掃除機内に吸込むよう漏斗状の吸込み口と電気掃除機への差込み口を持つ。該アタッチメントは操作し易いよう漏斗端面垂線と差込み口は垂直（０°）を除く９０°までの使い易い角度を成し、漏斗端面形状は円形または部屋のコーナーや壁面に接し易いよう略矩形を成す。更に漏斗端面は床面等に吸着しすぎて操作しにくいことがないよう浅い凹凸または短い植毛を有する。蚊の場合は不要であるが、原則として蚊・蠅・クモ・ゴキブリ等を吸入後は電気掃除機を吸込み作動させて吸込み口より家庭用噴霧殺虫剤を１〜数秒間吸込ませ、電気掃除機内にて殺虫処理を行う処理方法を持つ電気掃除機の吸込み口交換用アタッチメント。
【発明の詳細な説明】
【技術分野】
【０００１】  本発明は、家庭用電気掃除機の吸込み口交換用アタッチメントに係わり、屋内に侵入した蚊・蠅・クモ・ゴキブリ等を電気掃除機内に吸込ませ、蚊の場合は不要であるが、原則として吸込み後は電気掃除機を再作動させて吸込み口より家庭用噴霧殺虫剤を吸込ませ、電気掃除機内にて殺虫処理を行う処理方法を持つ電気掃除機の交換用アタッチメントに関する。
【背景技術】
【０００２】  家庭用電気掃除機には付属品として正規の掃除アタッチメントの他に狭い隙間用アタッチメント他が付属している。しかし蚊・蠅・クモ・ゴキブリ等用のアタッチメントは通常付いていないため、もしこのような用途に使おうとすると極めて使い辛いことになる。これに対し登録実用新案公報第３００１７９６号のように虫捕り専用のアタッチメント案があり、これはアタッチメント内に捕獲網を内蔵させ、入口に一方通行の弁を付けて脱出を防ぎ、捕獲後すばやく捕獲網を取出して処理するというものである。これではめったに使わないものに複雑な装置を用意することになり、処理の方法も殺傷して捨てる目的の虫に対して合理的な方法とはいえない。漏斗形アタッチメントとしては公開特許公報２００１−８７１７６があり、これは天井を掃除することを目的としたものであるが、漏斗形の端面は円形で端面垂線と差込み口の成す角度は垂直（０°）のため、天井を掃除するにしても部屋のコーナーや壁面近くは掃除し辛いことになる。更に端面が平坦のため、強い吸引力を避けるためにやや離しながら使用することになっており使いにくい。
【特許文献１】登録実用新案第３００１７９６号
【特許文献２】特開２００１−８７１７６
【発明が解決しようとする課題】
【０００３】  本発明の目的は家庭用電気掃除機用の付属アタッチメントとして屋内に侵入した蚊・蠅・クモ・ゴキブリ等を吸込み処理し易いことを主目的に、他の従来アタッチメントでは充分ではなかった天井や部屋のコーナーや壁面近くの埃取りにも使用可能な漏斗状アタッチメントを提供することにある。
【課題を解決するための手段】
【０００４】  本発明の交換用アタッチメントは蚊・蠅・クモ・ゴキブリ等を吸込み易いように漏斗状の吸込み口と電気掃除機端への差込み口を持つ。漏斗端面の吸込み口の形状は円形または天井や部屋のコーナーや壁面に接し易いよう略矩形形状とする。漏斗端面垂線と差込み口の成す角度は垂直（０°）を除く９０°までの使い易い角度とする。さらに漏斗端面は天井や床面に負圧で吸着しすぎて操作しにくいことがないよう浅い凹凸または短い植毛を有するものにする。本アタッチメントにより蚊・蠅・クモ・ゴキブリ等を吸込み終わったら、蚊の場合は不要であるが、原則として再度電気掃除機を作動させて吸込み口より家庭用噴霧殺虫剤を１〜数秒間吸込ませて電気掃除機内にて殺虫処理を行う。
【発明の効果】
【０００５】  本発明による漏斗状アタッチメントは極めて簡易な構造ではあるが、飛んでいる蚊や天井の蠅、コーナーのクモ、壁面近くのゴキブリ等が比較的容易に取れ、吸込み終わったら、蚊の場合は不要であるが、原則として再度電気掃除機を作動させて吸込み口より家庭用噴霧殺虫剤を１〜数秒間吸込ませることで、容易に電気掃除機内にて殺虫処理を行うことができる。さらに本発明の漏斗状アタッチメントは部屋の隅や天井の埃取り用アタッチメントとして、従来の付属アタッチメントを補って幅広く使用が可能である。
【発明を実施するための最良の形態】
【０００６】  図１に本発明の蚊・蠅・クモ・ゴキブリ等吸込みアタッチメントの構成を示す。図において１は本発明のアタッチメントの漏斗状吸込み口、２は本発明のアタッチメントの電気掃除機への差込み口を示す。３は電気掃除機のアタッチメントを外した状態の吸気管部を示す。
図２は本発明の漏斗状アタッチメントの詳細を示す。左側の図はアタッチメントの側面図を示し、図中のθは漏斗端面垂線と差込み口との成す角度を示し、操作し易いように垂直（０°）を除く直角（９０°）までの適度な角度を成す。また漏斗端面には吸入による負圧で床面等に吸着しすぎて操作しにくいことがないよう浅い凹凸４が施してある。右側の図は漏斗端面側から見た漏斗端面形状の平面図で部屋のコーナーや壁面に接し易いよう略矩形をまたは円形を成す。ただし円形の場合は図示せず。
図３は、図２における漏斗端面の別例を示し、吸入による負圧で床面等に吸着しすぎて操作しにくいことがないよう、また掃除等の用途も考慮して短い植毛５を施した例を示す。
図４は蚊・蠅・クモ・ゴキブリ等を吸入後、蚊の場合は不要であるが、原則として再度電気掃除機を吸込み作動させて吸込み口より家庭用噴霧殺虫剤６を１〜数秒間吸込ませ、電気掃除機内にて殺虫処理を行っている状況を示している。これにより容易に殺虫処理が可能である。
【図面の簡単な説明】
【０００７】
【図１】本発明のアタッチメントの構成を示す説明図
【図２】本発明のアタッチメントの詳細を示す側面図と漏斗端面側の平面図
【図３】図２における漏斗端面の別例を示す側面図と平面図
【図４】蠅・クモ・ゴキブリ等を吸入後の殺虫状況を示す説明図
【符号の説明】
【０００８】    １  漏斗状吸込み口
２  電気掃除機への差込み口
３  電気掃除機の吸気管部
４  漏斗端面の浅い凹凸
５  漏斗端面の短い植毛
６  家庭用噴霧殺虫剤
【図１】
2007068932.tif 000003
【図２】
2007068932.tif 000004
【図３】
2007068932.tif 000005
【図４】
2007068932.tif 000006
(57)【要約】【課題】今までのＬ型フック等では壁にフックを取り付けたときＬ型フックの上端部分が尖っていて手を引っ掛け怪我をしたり洋服が引っ掛かり破れ又幼稚園等で使うとき幼児が接触すると尖った部分で怪我をする危険性があったので可動部分を作って人等が接触しても怪我のない様にした、壁等に確実に取り付けられるように鼓型金属を入れハンマー等で本発明品叩けるようなフックをを提供する。【解決手段】垂直壁と、この垂直壁の上部に水平に延設された水平壁から成る、本体の前記水平壁端部にヒンジ部を介し延設された可動板を設け、前記垂直壁に先端が外向きに突出し、他端が前記可動板内壁で押圧できる程度に突出しかつ垂直に貫通したピンを設ける、ピンをハンマー等で叩いて取り付けられるように可動板外側からピンの頭がはいる可動板凹部の底部までの間に鼓型金属を埋め込みする事を特徴としたフック。【選択図】  図１
2007068931.tif 000002
【特許請求の範囲】
【請求項１】
垂直壁と、この垂直壁の上部に水平に延設された水平壁から成る、本体の前記水平壁端部にヒンジ部を介し延設された可動板を設け、前記垂直壁に先端が外向きに突出し、他端が前記可動板内壁で押圧できる程度に突出しかつ垂直に貫通したピンを設ける、ピンをハンマー等で叩いて取り付けられるように可動板外側からピンの頭がはいる可動板凹部の底部までの間に鼓型金属を入れる事を特徴としたフック。
【発明の詳細な説明】
【技術分野】
【０００１】本発明は、カレンダー、予定表、メモ用紙、カギ、等を壁に掛けるフックに関するものである。
【技術背景】
【０００２】Ｌ型フックは真鍮の針金をＬ字型に曲げＬ型の長い部分の途中に鍔を付け鍔の先に木に取り付けられるようにネジが切って有る。
【発明の開示】
【発明が解決しょうとする課題】
【０００３】そのために次の様な問題が有った。Ｌ型フックでは壁にフックを取り付け使用した時Ｌ型フックの上端部分が尖っていて手を引っかけ怪我をしたり、洋服が引っ掛かり破れたり又幼稚園等で物掛けとして使用する時に幼児が接触すると怪我をする危険性があった。フックの形状を変え尖っている部分を無くし安全面に配慮し、確実に壁等に取り付けられるようにハンマー等で叩けるようにしたフックを提供する。
本発明は以上の問題点を解決しょうとするものである。
【解決するための手段】
【０００４】垂直壁と、この垂直壁の上部に水平に延設された水平壁から成る、本体の前記水平壁端部にヒンジ部を介し延設された可動板を設け、前記垂直壁に先端が外向きに突出し、他端が前記可動板内壁で押圧できる程度に突出しかつ垂直に貫通したピンを設ける、ピンをハンマー等で叩いて取り付けられるように可動板外側がらピンの頭がはいる可動板凹部の底部までの間に鼓型金属を入れる事を特徴としたフック。
【発明の効果】
【０００５】可動部分を設けることによって手を引っかけ怪我をしたり洋服が引っ掛かり破れたり又幼稚園児がフックに接触しても怪我のない様に改良した。
【発明を実施するための最良の状態】
【０００６】以下、本発明の実施の形態を説明する
（イ）垂直壁（２）と、この垂直壁（２）の上部に水壁平（１）を延設された本体（５）を構成する。
（ロ）前記水平壁端部にヒンジ部（６）を設けヒンジ部を介し可動板（４）を延設する。
（ハ）前記可動板（４）内壁で押圧できる程度に突出する水平状態で貫通したピンを設ける。可動板（４）の裏側にピン（３）の頭が少し堅めに填め込む込まれるようにすように凹部（７）を形成する。
（ニ）可動部分（４）が水平状態になったときにそこで水平状態を保てるようにする
（ホ）鼓型金属（８）を可動板に埋め込みハンマー等で本発明品を叩いて取り付けられるようにする。
本発明は以上の構成から成っている。
本発明を使用するときは可動板を上方に上げピンに紙、メモ用紙、カレンダー等を差込み可動板を垂直に降ろし正面より可動板をピン方向に水平に力を加え可動板にピンの頭を填め込み固定する又本発明品を使用る時はハンマー等で叩いて確実に壁等に取り付けなければ成らない。
【図面の簡単な説明】
【０００７】
【図１】本発明の斜視図
【図２】本発明の可動板が動いた状
【図３】可動板に埋め込む鼓型金属
【符号の説明】
【０００８】１水平壁
２垂直壁
３ピン
４可動板
５本体
６ヒンジ部
７凹部
８鼓型金属
【図１】
2007068931.tif 000003
【図２】
2007068931.tif 000004
【図３】
2007068931.tif 000005
(57)【要約】【課題】温められたレトルト食品袋を熱湯中から取り出し、これを開封したのち、袋の内容物を効率的に取り出すためのはさみを提供する。【解決手段】はさみを閉じた際に相互に接するはさみの柄の内側部分を広げて、柄の内側全体が接し合うようにし、さらにこの部分をはさみの刃と反対の方向に長くのばし、丸めた刃先が手前を向くように、柄を逆さに持つことにより、のばした柄の先をトングとして、また柄の先から手元までの相互に接し合う部分を、レトルト食品袋などに入っている内容物を搾り出すための、はさみつけ道具として使用できるようにする。【選択図】  図１
2007068938.tif 000002
【特許請求の範囲】
【請求項１】
はさみを閉じた際に相互に接する、はさみの柄の内側部分を広げて、柄の内側全体が接し合うようにし、さらにこの接し合う部分を両方とも、はさみの刃から遠ざかる方向に長くのばし、安全のために丸みをつけた、はさみの刃先が手前を向くように、はさみの柄を逆さに持ち替えることによって、はさみの刃と反対の方向にのばした、はさみの柄をトング、あるいはレトルト食品袋などを外側からはさんで袋の内容物を搾り出すための道具として使えるようにしたはさみ。
【発明の詳細な説明】
【技術分野】
【０００１】  本発明は温めたレトルト食品袋を鍋などから取り出して開封し、袋の内容物を搾り出すための、はさみに関するものである。
【背景技術】
【０００２】  温めたレトルト食品袋を開封したのち、袋を逆さにして内容物を出した際に、袋の内側に付着した、味噌やカレーなどの粘性のある内容物は、スプーンなどでかき出すか、あるいは指先や二本の箸等で袋を外側からはさんで搾り出す必要があった。【０００３】  丸棒をはさみの背部分にそわせて固定した、はさみを使ってレトルト食品袋を開封し、丸棒とはさみの背部分の間隙に開封した食品袋を通しながら内容物を押し出す形式のはさみが一般に市販されているが、間隙が一定なので、薄い袋などは十分にはさみこむことができず、袋を二重に折り返すなどしてはさむ必要があった。
【発明の開示】
【発明が解決しようとする課題】
【０００４】  本発明は、温めたレトルト食品袋を鍋などの熱湯中から取り出して開封し、内容物を効率よく搾り出すための簡便な道具を提供しようとするものである。
【課題を解決するための手段】
【０００５】  はさみを閉じた際に相互に接するはさみの柄の内側部分を広げて、柄の内側全体が接し合うようにし、さらにこの接し合う部分をはさみの刃と反対の方向に長くのばし、柄を逆さに持つことにより、のばした柄の先をトングとして、また柄の先から手元までの相互に接し合う部分を、レトルト食品袋などに入っている内容物を搾り出すための、はさみつけ道具として使用できるようにする。
【発明の効果】
【０００６】  レトルト食品袋開封用の本発明のはさみは、逆に持ち替えるだけで、熱湯の中から食品袋を取り出すためのトングとして、また開封後の食品袋を外側からはさんで内容物を効率的に押し出すための、搾り出し道具として使用することができ、構造が簡単で洗いやすい。
【発明を実施するための最良の形態】
【０００７】    発明の実施の形態を実施例にもとづき図面を参照して説明する。
本発明のはさみは、安全のために刃先を丸めた金属製のはさみ部（１）と、はさみを閉じた際に相互に接し合うはさみの柄の部分（４）をはさみの刃と反対側に長くのばしたプラスチック製のトング部（２）からなる。【０００８】  はさみ部（１）が前を向くように、柄のループ部分（３）に指を入れると、レトルト食品袋を開封するためのはさみとして使用できる。【０００９】  トング部（２）が前を向くように、柄のループ部分（３）に指を入れると、熱湯中から食品袋を取り出すためのトングとして使用でき、開封したレトルト食品袋（５）を逆さにして、これを外側からトング部（２）全体ではさみながら押し下げることにより、袋の内容物（６）を搾り出すことができる。
【図面の簡単な説明】
【００１０】
【図１】本発明の斜視図
【図２】本発明の使用状態例を示す図
【符号の説明】
【００１１】      １    はさみ部
２    トング部
３    柄のループ部分
４    柄の接し合う部分
５    レトルト食品袋
６    食品袋の内容物
【図１】
2007068938.tif 000003
【図２】
2007068938.tif 000004